(57)【要約】【課題】  操作時において衝突音の発生を抑制可能であり、構成部材の破損等を防止可能であるスライド錠を提供する。【解決手段】  ドアパネル１に取り付けられる錠本体１０と、錠本体１０に摺動可能に案内されて、出没するスライド体２０とを備え、スライド体２０の先端が、隣接する前面パネル２に係止されることにより施錠されるスライド錠Ｓにおいて、スライド体２０は、スライド範囲規制手段（端部キャップ２５）を有し、錠本体１０及びスライド体２０の少なくとも一方は、錠本体１０とスライド範囲規制手段との当接時に発生する衝撃を減衰させる衝撃減衰手段を備えている構成とした。【選択図】  図２
2020153167.tif 000002
【特許請求の範囲】
【請求項１】
扉体に取り付けられる錠本体と、
前記錠本体に摺動可能に案内されて、前記扉体の縁から隣接する支持体方向に出没するスライド体と、を備え、
前記スライド体の先端が、前記隣接する支持体に係止されることにより施錠されるスライド錠において、
前記スライド体は、予め定められている施解錠位置間でのスライド移動を行わせるためのスライド範囲規制手段を有し、
前記錠本体及び前記スライド体の少なくとも一方は、前記錠本体と前記スライド範囲規制手段との当接時に発生する衝撃を減衰させる衝撃減衰手段を備えていることを特徴とするスライド錠。
【請求項２】
前記衝撃減衰手段は、前記スライド体の端部に取り付けられている衝撃減衰体を備え、
前記当接時において、前記錠本体及び前記衝撃減衰体が、少なくとも一点での点接触又は少なくとも一条での線接触をすることが可能となるように構成されていることを特徴とする請求項１に記載のスライド錠。
【請求項３】
前記錠本体は、前記衝撃減衰体と接触する側における少なくとも一方の端部に突出部を有するとともに、
前記衝撃減衰体は、前記錠本体側に前記突出部の受入空間部を有しており、
前記突出部が、前記受入空間部に挿抜自在に構成されていることを特徴とする請求項２に記載のスライド錠。
【発明の詳細な説明】
【技術分野】
【０００１】
本発明は、開き扉等の施錠に用いられるスライド錠（スライドラッチ錠）に関する。
【背景技術】
【０００２】
病院、学校、駅等の各種公共施設において、開き扉が使用されている。この開き扉は、立設する支持体に側面部が枢設され、出入口である開口部を開閉可能となっており、施錠装置にはスライド錠が使用されることが一般的である。
【０００３】
出願人が開発した従来のスライド錠Ｓ’（ドアロッ ク具）は、トイレ用のドアを間に挟んで、ドアの内側に取り付けるロック手段と、外側に取り付ける表示装置（図示せず）とから構成されている（図１０）。ロック手段は、ドアの内側面に固着する取付部１１’と、当該取付部１１’に被せて長さ方向に摺動自在に係合するロックバー２０’を備えており、取付部１１’は、幅方向の両側面に、長さ方向に沿って細長い平行な係合溝１１ａ’を凹設して断面略Ｈ状に成形されている。上記ロックバー２０’は、長さ方向両端にキャップ２５’を嵌め付けた略みぞ形状をなしている。また、長さ方向両端には、ロックバー２０’の施錠位置と解錠位置間での摺動ストロークを規制する突当て段部２１ｄ’が設けられている（特許文献１参照）。
【先行技術文献】
【特許文献】
【０００４】
【特許文献１】特開２００８−１４４４５０号公報
【発明の概要】
【発明が解決しようとする課題】
【０００５】
従来のスライド錠Ｓ’によれば、ロックバー２０’が施錠位置と解錠位置間での摺動移動することになる。しかし、施錠位置において、ストロークを規制する突当て段部２１ｄ’が取付部１１’に衝突する際に、衝突音が生じることや、過大な応力が作用することで損傷しやすくなる等の問題点を有していた。
【０００６】
本発明は、上記問題点を解決するためになされたものであり、操作時において衝突音の発生を抑制可能であり、構成部材の破損等を防止可能であるスライド錠を提供することを目的としている。
【課題を解決するための手段】
【０００７】
上記目的を達成するために、本発明のスライド錠（以下、「本スライド錠」という場合がある。）は、扉体に取り付けられる錠本体と、上記錠本体に摺動可能に案内されて、上記扉体の縁から隣接する支持体方向に出没するスライド体と、を備え、上記スライド体の先端が、上記隣接する支持体に係止されることにより施錠されるスライド錠において、上記スライド体は、予め定められている施解錠位置間でのスライド移動を行わせるためのスライド範囲規制手段を有し、上記錠本体及び上記スライド体の少なくとも一方は、上記錠本体と上記スライド範囲規制手段との当接時に発生する衝撃を減衰させる衝撃減衰手段を備えていることを特徴としている。
【０００８】
ここで、衝撃減衰手段は、スライド体と錠本体の少なくとも端部のいずれか一方をゴム等の高分子材料の弾性体で形成すること、間隙部と変形機構を組み合わせること等により、変形容易である構造とすること、又はスライド体と錠本体の当接面に付勢部材（板バネ、コイルスプリング等）を設けること等により実現することができる。
【０００９】
また、上記本スライド錠において、上記衝撃減衰手段は、上記スライド体の端部に取り付けられている衝撃減衰体を備え、上記当接時において、上記錠本体及び上記衝撃減衰体が、少なくとも一点での点接触又は少なくとも一条での線接触をすることが可能となるように構成されていることとすれば、特に好適である。
【００１０】
上記衝撃減衰体は、スライド体の端部において設けられるものであれば、スライド体と一体として形成しても、別体として形成されるものであってもよい。
また、点接触とは、錠本体と衝撃減衰体（以下、本段落では「両要素」という。）とが、微小領域で当接することを意味し、少なくとも一方の要素に突出部を設けること、又は両要素の少なくとも一方に曲面（例えば、凸状曲面）を設けること等により実現することができる。
この場合において、両要素が広範な当接領域で当接するいわゆる面接触をしなければよく、複数個所での点接触がなされること、及び複数条（複数本）での線接触がなされるものであってもよい。
【００１１】
また、スライド範囲規制手段は、スライド体が錠本体に沿ってスライド移動する場合において、予め定められている施解錠位置間（施錠位置と解錠位置の間）でのスライド移動を行わせる（スライドストロークを確定させる）ために、スライド体と錠本体を、少なくとも一部分において当接させることにより、その移動範囲を規制する手段であり、上記衝撃減衰手段と兼用させることもできる。
【００１２】
また、本スライド錠は、スライド体の先端が、隣接する支持体に係止されることにより施錠されることになるが、錠本体が取り付けられる扉体の態様により、スライド体の端部を係止するために、支持体に係止枠部等の係合部を設ける必要がある場合と必要ない場合がある。
例えば、扉体が室外側（個室空間の室外側［外側］）のみに開扉されるタイプの扉体の場合には、係合部は不要である。他方、室内側（個室空間の室内側［内側］）に開扉されるタイプの扉体の場合には係合部が必要となる。
【００１３】
また、錠本体は、スライド体の少なくとも外縁の一部に沿って摺動可能に案内されていることが必要となるが、錠本体とスライド体の形態に応じて、種々の態様で構成することができる。
【００１４】
本スライド錠によれば、スライド体及び錠本体の少なくとも一方は、当該スライド範囲規制手段と錠本体との当接時に発生する衝撃を減衰させる衝撃減衰手段を備えている。したがって、両要素に作用する当接力（押圧力）を軽減可能となるため、衝突音の発生を抑制すること及び構成部材の破損等を防止することができる。
【００１５】
また、本スライド錠において、上記錠本体は、上記衝撃減衰体と接触する側における少なくとも一方（両側でもよい）の端部に突出部を有するとともに、上記衝撃減衰体は、上記錠本体側に上記突出部の受入空間部を有しており、上記突出部が、上記受入空間部に挿抜自在に構成されていることとするものであってもよい。
【００１６】
ここで、スライド範囲規制手段の受入空間部及び錠本体の突出部の形状は、錠本体がスライド範囲規制手段に当接する際において当該突出部が受入空間部に挿入され、施錠位置から移動する場合において、抜出することができるように形成されているものであれば、その形状及び数に制限はない。例えば、凹部及び凸部（突部）、溝体及び凸条等の組み合わせとして構成することができる。
【００１７】
また、凹部と凸部から形成する場合には、凹部において、開口部側に幅広となるテーパ（又は傾斜部）を形成するとともに、凸部において、先端部側に幅狭となるテーパ（又は傾斜部）を形成することとすれば、挿抜を容易に行うことができるため好適である。
【００１８】
本スライド錠によれば、錠本体の支持体側の端部に突出部を有するとともに、スライド範囲規制手段が当該突出部の受入空間部を有しており、突出部が受入空間部に挿抜自在に構成されているため、施錠時にスライド体がスライド範囲規制手段に当接する際において、突出部が受入空間部に嵌入し、摩擦力及び押圧力等が生じた状態となる。そのため、両部材に強い当接力が作用した場合であっても、その押圧力によりスライド範囲規制手段が抜出することを防止することができる。
【発明の効果】
【００１９】
本発明によれば、操作時において衝突音の発生を抑制可能であり、構成部材の破損等を防止可能であるスライド錠を提供することができる。
【図面の簡単な説明】
【００２０】
【図１】本発明のスライド錠を使用した開き扉の斜視図（解錠状態）である。
【図２】本発明のスライド錠の分解斜視図である。
【図３】本発明のスライド錠の他の方向から見た分解斜視図である。
【図４】（ａ）は、本発明のスライド錠に使用される端部キャップの斜視図であり、（ｂ）同端部キャップの他の方向から見た斜視図である。
【図５】（ａ）は、本発明のスライド錠（解錠時）の左側面図であり、（ｂ）は、同図（ａ）に対応する正面図であり、（ｃ）は、同図（ａ）のＡ−Ａ断面図であり、（ｄ）は、同図（ａ）のＢ−Ｂ断面図である。
【図６】（ａ）は、本発明のスライド錠（施錠終了直前時）の左側面図であり、（ｂ）は、同図（ａ）に対応する正面図であり、（ｃ）は、同図（ａ）のＡ−Ａ断面図であり、（ｄ）は、同図（ａ）のＢ−Ｂ断面図である。
【図７】（ａ）は、本発明のスライド錠（施錠終了直前時）の室内側から見た正面図であり、（ｂ）は、同図（ａ）のＣ−Ｃ断面図であり、（ｃ）は、同図（ｂ）のＤ部の拡大図である。
【図８】（ａ）は、本発明のスライド錠（施錠時）の左側面図であり、（ｂ）は、同図（ａ）に対応する正面図であり、（ｃ）は、同図（ａ）のＡ−Ａ断面図であり、（ｄ）は、同図（ａ）のＢ−Ｂ断面図である。
【図９】（ａ）は、本発明のスライド錠（施錠時）の室内側から見た正面図であり、（ｂ）は、同図（ａ）のＣ−Ｃ断面図であり、（ｃ）は、同図（ｂ）のＤ部の拡大図である。
【図１０】従来のスライド錠の一部を示す斜視図である。
【発明を実施するための形態】
【００２１】
以下、図面を参照しつつ、本スライド錠Ｓの一実施形態について、トイレブース等の個室空間における扉体に設けられる場合を例として、詳細に説明する。なお、図面の説明においては、同一要素には同一符号を付し、重複する説明を省略する。
【００２２】
（１）本スライド錠の構成
［個室空間］
図１に示すように、本実施形態における本スライド錠Ｓが取り付けられる個室空間は、壁から垂直方向に設置されている２枚の横仕切りパネル（図示せず）と、入口部を形成するために所定の開口を設けた状態で、当該横仕切りパネルと直交する向きに設置されている左右の前面パネル２（右パネルは図示せず）（支持体）により、平面視で長方形形状の一区画のスペースに区切られている。そして、入口部には、開き扉であるドアパネル１（扉体）が、戸尻側の端部において軸釣装置等を用いて支持されることにより、室外側にのみ開扉されるように回動自在に取り付けられている。
【００２３】
［スライド錠］
図２及び図３に示すように、本スライド錠Ｓは、錠本体１０と、スライド体２０を主要部としており、錠本体１０は、ドアパネル１の室内側の面に設けられている。
【００２４】
（錠本体）
錠本体１０は、取付部１１と位置規制補助部１５から構成されている。
取付部１１は、側面視で略Ｈ字状に形成されているとともに、凹陥部１２ｂを有し、上面視で凹状である樹脂成型体であり、幅方向の上下の両側面に、長さ方向に沿って、平行である細長の係合溝１１ａが設けられている。取付部１１の凹陥部１２ｂの両側には、取付孔１２ｃが形成されており、当該取付孔１２ｃにネジ１９を用いて、ドアパネル１に取付部１１が取り付けられている。
【００２５】
取付部１１の係合溝１１ａを挟んだドアパネル１と反対側である室内側の部分（以下、「室内側部１１ｂ」という。）が後記スライド体２０の内部空間に収納され、リップ部２０ａが係合溝１１ａに摺動可能となるように緩装されている。そして、スライド体２０の上下のリップ部２０ａ、上下のフランジ部２０ｂ及びウェブ部２０ｃは、取付部１１の室内側部１１ｂに摺動しながら、スライド可能となっている。
【００２６】
取付部１１における室内側部１１ｂの中央に形成されている凹陥部１２ｂには、位置規制補助部１５が設けられている。この位置規制補助部１５は、板状体１６と、当該板状体１６の長手方向の側面部に設けられている付勢体１７とを備えており、端部キャップ２５と共に、スライド体２０の移動範囲（施錠位置から解錠位置）を制限する役割を果たしている。
【００２７】
板状体１６には、２カ所の側面部に係合体１６ａが、底面部には、係合突起１６ｂがそれぞれ設けられている。この係合体１６ａと係合突起１６ｂは、凹陥部１２ｂに形成された係合凹部１２ｄ，１２ｅと係着することにより、取り付けられている。
【００２８】
また、一方の係合体１６ａ（図３の左側）の上部には、山県形状であるストッパ１６ｃが設けられている。このストッパ１６ｃは、取付部１１の係合溝１１ａから突出するように位置することになり、後記スライド体２０の凹部２１ｃの両縁部における突当て段部２１ｄと当接することで、スライド体２０の移動を規制できるようになっている。
【００２９】
付勢体１７は、ヘ字形状である板バネ状の部材であり、中間部の摺接面において、スライド体２０のウェブ部２０ｃと摺接する際に、室内側部１１ｂ側（スライド体３０のウェブ部２０ｃ側）に付勢力が付与可能である構造となっている。
【００３０】
また、室内側部１１ｂの両側面部における、端部キャップ２５と対向する端面の上下端部には、案内突起１３（突出部）が設けられている。この案内突起１３は、等脚台形形状（側面視）であり、後記する端部キャップ２５の中空部２５ｄに挿入し易くなるように、先端部側に高さが減少するようにテーパが形成されている。
【００３１】
（スライド体）
スライド体２０は、ステンレス製であるリップ溝形の細長形状であり、両端部に、スライド範囲規制手段と衝撃減衰手段を兼用している端部キャップ２５が嵌装されている。
後記端部キャップ２５は、スライド体２０の端部を閉塞するとともに、取付部１１の端部と当接することにより、その移動を規制し、当該スライド体２０の施錠位置と解錠位置間での摺動ストロークを制限する役割を果たしている。すなわち、両側の端部キャップ２５は、スライド体２０の施錠位置と解錠位置に対応するように設けられている。
【００３２】
リップ部２０ａ（縁部）は、両端部において、後記端部キャップ２５の後記爪条部２６ｄを係止するための溝部（以下、「端溝部２１ｂ」という。）が形成されるとともに、上側の一部に凹部２１ｃが形成されている（図３）。
【００３３】
端部キャップ２５は、全体が柔軟に撓み得るとともに所定の剛性を有するように、合成樹脂で一体成型されている部材であり、衝撃減衰手段の衝撃減衰体を兼用している。
この端部キャップ２５は、中空部２５ｄ（受入空間部）を有する直方体形状であり（この部分を「本体部２５ａ」という。）、一方の端面は、断面形状より若干大きい矩形形状である端板２５ｂで閉塞されている。また、端板２５ｂと本体部２５ａの接合部には顎部２５ｃが形成されている（図４）。
【００３４】
本体部２５ａの幅広である一方の側面には、弾性変形がしやすくなるように長手方向に２本の長溝２６ｂが形成されており、当該２本の長溝２６ｂの間には、補助突出部２６ｃが突設されている（但し、長溝２６ｂの形状、本数には制限はない）。また、本体部２５ａの端板２５ｂと反対側の側縁部において、その中央に、突出部２６ａが形成されている。このように、本実施形態では、合成樹脂製である端部キャップ２５の本体部２５ａにおける突出部２６ａと長溝２６ｂが、衝撃減衰手段の主要部を構成している。
【００３５】
なお、補助突出部２６ｃは、本体部２５ａが弾性変形した場合に、当該部位においてスライド体２０のウェブ部２０ｃと当接させることで、当接力を集中的に負担させ、その反作用により、端部キャップ２５を他方の側面部に押圧させるために設けるものである。
【００３６】
上記本体部２５ａにおける長溝２６ｂが形成されていない面と対向する他方の側面には、端板２５ｂと反対側の側縁部の近傍において、長手方向の全体に爪条部２６ｄが設けられている。この爪条部２６ｄは、端部キャップ２５が弾性変形した場合に、所定の強度を保持させるための補強部としての役割を奏させるために設けられる部材である。また、この爪条部２６ｄは、スライド体２０の端溝部２１ｂに係止するために、端板２５ｂ側に向かって高さ寸法が増加するように勾配が形成されている。
【００３７】
さらに、上記本体部２５ａの幅広に形成された両側面部において、中空部２５ｄに接続する錠本体１０側の端縁部の長手方向は、端板２５ｂ側に向かって、開口部の寸法が減少するように“ハ”を９０度又は２７０度回転させた形状（側面視）に勾配が形成されており、錠本体１０の案内突起１３（突出部）が、本体部２５ａにおける中空部２５ｄに挿入されやすいようになっている。
【００３８】
各端部キャップ２５は、顎部２５ｃがスライド体２０の端面に当接するとともに、爪条部２６ｄが端溝部２１ｂに係止された状態で嵌装されている。
【００３９】
上記構成により、スライド体２０は、錠本体１０に摺動可能に案内されながら、施錠位置及び解錠位置に対応して、当該スライド体２０に形成された空間部２１ａ（図３）を水平方向にスライド自在となっている。
【００４０】
（２）本スライド錠の動作
続いて、本スライド錠Ｓの動作について説明する。なお、以下の説明において、本スライド錠Ｓは、動作可能な状態で、ドアパネル１に取り付けられていることを前提とする。
【００４１】
本スライド錠Ｓの解錠状態（図５）から施錠する場合には、ドアパネル１を閉め、室内側からスライド体２０を施錠位置（図６（ｂ）の左側）にまでスライド移動させて、前面パネル２と係止させる。この動作において、スライド体２０に設けられている右側（前面パネル２と反対側）（図６（ｄ））の端部キャップ２５が錠本体１０の取付部１１の側面部に当接することになる。
【００４２】
その際、まず、錠本体１０の端面と図中の右側の端部キャップ２５の突出部２６ａとが一点で当接（点接触）し、当該当接力により、当該端部キャップ２５が端板２５ｂ側に押圧される。このとき、長溝２６ｂの存在により、弾性変形しやすくなっているため、端部キャップ２５の突出部２６ａが端板２５ｂ側に“＞”字形状に弾性変形した状態で、端面が当接する（図８）。本動作により、端部キャップ２５と錠本体１０との当接時に発生する当接力を最初に減衰させた後に、当該端部キャップ２５の端面と錠本体１０の端面が全面で当接することになる。
【００４３】
また、錠本体１０の案内突起１３が、端部キャップ２５の中空部２５ｄに挿入される（図７）。この状態において、案内突起１３が、端部キャップ２５の中空部２５ｄの内壁を外側に押圧することから、端部キャップ２５の爪条部２６ｄには、外側に押圧力が作用する。そのため、爪条部２６ｄは端溝部２１ｂから突出して係止されることになる。加えて、補助突出部２６ｃが、当該部位において、スライド体２０のウェブ部２０ｃと当接することで、当接力が集中し、その反作用により、端部キャップ２５を他方の側面部に押圧させることになる。そのため、スライド体２０の端溝部２１ｂから突出した状態を保持することになる（図９）。
【００４４】
また、位置規制補助部１５の付勢体１７は、この状態において、常時、室内側部１１ｂ（スライド体２０のウェブ部２０ｃ側）に付勢力を付与している。また、ストッパ１６ｃが、スライド体２０の凹部２１ｃにおける突当て段部２１ｄと当接して移動が制限されている。そのため、種々の要因で、万一、端部キャップ２５がスライド体２０から外れてしまった場合であっても、錠本体１０がスライド体２０から抜け出すことを防止することになる。
【００４５】
なお、ドアパネル１は、室外側にのみ開扉でき、室内側には開かないため、この状態で施錠されることになる。
【００４６】
また、ドアパネル１を開放する場合には、スライド体２０を右側の開錠位置にまでスライド移動させ、前面パネル２との係止状態を解除することにより行うことができる（図５（ｂ））。
このとき、錠本体１０の前面パネル２側の端面が、スライド体２０に設けられている他方の端部キャップ２５に当接することになるが、両要素は上記と同様の動作を奏することになる。
【００４７】
（３）本スライド錠の作用効果
本スライド錠Ｓによれば、端部キャップ２５が突出部２６ａと長溝２６ｂから構成される衝撃減衰手段を備えており、弾性変形が可能となるように形成されているため、錠本体１０の取付部１１が端部キャップ２５に当接した場合において、効果的に当接力を低減させることができる。したがって、衝突音の発生の抑制及び構成部材の破損等を防止することができる。
【００４８】
また、本スライド錠Ｓにおいて、端部キャップ２５がスライド範囲規制手段と、衝撃減衰手段の衝撃減衰体とを兼用しているため、部品点数を減少させることができる。
【００４９】
さらに、本スライド錠Ｓによれば、錠本体１０における取付部１１には、テーパが形成されている案内突起１３が設けられている。そして、端部キャップ２５の本体部２５ａには、上記案内突起１３の傾斜角度に対応する勾配を入口部に有する中空部２５ｄが設けられており、取付部１１の案内突起１３が、本体部２５ａにおける中空部２５ｄに挿入しやすくなっている。
【００５０】
そのため、施解錠時において、取付部１１と端部キャップ２５が当接する際に、案内突起１３が中空部２５ｄに嵌挿されることになる。そして、端部キャップ２５の爪条部２６ｄにおいて外側に押圧力が作用し、当該爪条部２６ｄは端溝部２１ｂから突出することになるとともに、案内突起１３が「ほぞ」に類似する作用を奏することになる。さらに、補助突出部２６ｃの存在により、取付部１１の移動が制限されるため、端部キャップ２５に当接する際に、強い押圧力が作用した場合であっても、当該押圧力により端面から抜出することを防止することができる。
【００５１】
以上、本発明について、好適な実施形態についての一例を説明したが、本発明は当該実施形態に限られず、本発明の趣旨を逸脱しない範囲で、適宜設計変更が可能である。
【００５２】
例えば、本スライド錠を適用する扉体、支持体には制限はなく、錠本体、スライド体、スライド範囲規制手段の各仕様、取付位置等は、扉体等の状況に応じて、適宜定めることができる。また、本発明を構成する各要素の仕様、材質、寸法、形状、取付位置等に関しても、基本的な構成を備えていれば、種々の構造を用いることができる。
【００５３】
また、スライド範囲規制手段は、別体として形成したキャップ部材として説明したが、スライド体の端部に一体として形成されるものであってもよい。さらに、スライド範囲規制手段として、スライド体に、幅広部と幅狭部の空間部を設け、その境界における段部の部分により、当該スライド体の移動を規制する等の手段を併用することもできる。
【００５４】
また、本スライド錠は、実施形態での説明と異なり、扉体の開施錠の状態を室外側から表示可能である、ラックアンドピニオン機構を使用した表示装置を備える構成とするものであってもよい。
【００５５】
また、衝撃減衰手段は、スライド範囲規制手段及び錠本体の少なくとも一方に凸状曲面部を設けることや、複数の突出部を設けること、衝撃吸収材料を使用すること等、種々の方法を用いることができる。
【００５６】
さらに、扉体の構造（室内側に開扉されるタイプ）によっては、扉体と隣接する支持体に取り付けられ、スライド体の先端を挿入して係止する、係止部を有する構造とするものであってもよい。
【符号の説明】
【００５７】
Ｓ      スライド錠
１      ドアパネル（扉体）
２      前面パネル
１０    錠本体
１１    取付部
１１ａ  係合溝
１１ｂ  室内側部
１３    案内突起（突出部）
１５    位置規制補助部
１６    板状体
１６ｃ  ストッパ
１７    付勢体
２０    スライド体
２１ａ  空間部
２１ｂ  端溝部
２１ｄ  突当て段部
２５    端部キャップ（衝撃減衰体、スライド範囲規制手段）
２５ａ  本体部
２５ｂ  端板
２５ｃ  顎部
２５ｄ  中空部（受入空間部）
２６ａ  突出部
２６ｂ  長溝
２６ｃ  補助突出部
２６ｄ  爪条部
【図１】
2020153167.tif 000003
【図２】
2020153167.tif 000004
【図３】
2020153167.tif 000005
【図４】
2020153167.tif 000006
【図５】
2020153167.tif 000007
【図６】
2020153167.tif 000008
【図７】
2020153167.tif 000009
【図８】
2020153167.tif 000010
【図９】
2020153167.tif 000011
【図１０】
2020153167.tif 000012